(57)【要約】 【課題】カバーをスライドする開閉機構が成り立つように且つ光学系がカートリッジ筐体に接触しないように光ピックアップがホログラム記録材料にアクセスするための、開口部を広げること。【解決手段】信号光光学系（鏡筒３０６）及び参照光光学系（鏡筒３０７）がホログラム記録材料２０２にアクセスするための開口部１０をカートリッジ筐体２０１の中心線に対して非対称になる位置に設ける。これにより、カバー（図示せず）を開口部１０の占める領域が少ない側に移動させることにより開口部１０開くため、開口部１０の幅を広くしても、カバーがカートリッジ筐体２０１の前面からはみ出ることなく収めることができ、カバーをスライドする開閉機構を取り付けることができる。また、開口部１０の幅が広いため、信号光光学系の先端を開口部１０の中に侵入させることができる。【選択図】図２
2007033486.tif 000002
【特許請求の範囲】
【請求項１】
２光束の干渉縞を記録するホログラム記録材料をカートリッジ筐体に収納して成るカートリッジ型ホログラム記録媒体であって、
前記２光束を前記ホログラム記録材料に照射する光ピックアップがアクセスする第１の開口部を、前記カートリッジ筐体の前面で当該カートリッジ筐体の中心線に対して非対称になる位置に設け、且つ、当該開口部を開閉するカバーを設けたことを特徴とするカートリッジ型ホログラム記録媒体。
【請求項２】
前記カートリッジ筐体の中心線に対して前記第１の開口部の占める領域が少ない側に、前記カバーを移動させることにより当該開口部を開いて前記ホログラム記録材料を外部に露出させることを特徴とする請求項１記載のカートリッジ型ホログラム記録媒体。
【請求項３】
前記カバーを移動させて前記第１の開口部を開いた時に、当該カバーが前記カートリッジ筐体の前面からはみ出した場合、当該カバーの開いた位置と閉じた位置を一旦固定するストッパーのみを設けたことを特徴とする請求項１又は２記載のカートリッジ型ホログラム記録媒体。
【請求項４】
前記ピックアップを構成する信号光光学系の先端或いは参照光光学系の先端のいずれか一方または両方の一部が前記第１の開口部の中に侵入することを特徴とする請求項１乃至３いずれか１項記載のカートリッジ型ホログラム記録媒体。
【請求項５】
前記ホログラム記録材料が反射型であり、当該ホログラム記録材料に記録された干渉縞の再生時に当該ホログラム記録材料から発生する再生光を入射して撮像素子に導く再生光学系の先端が当該ホログラム記録材料にアクセスするための第２の開口部を、前記カートリッジ筐体の背面に設け、且つ、当該開口部を開閉するカバーを設けたことを特徴とする請求項１乃至４いずれか１項記載のカートリッジ型ホログラム記録媒体。
【請求項６】
前記第２の開口部を前記カートリッジ筐体の中心線に対して非対称に設けたことを特徴とする請求項５記載のカートリッジ型ホログラム記録媒体。
【請求項７】
前記カートリッジ筐体の中心線に対して第２の開口部の占める領域が少ない側に前記カバーを移動することにより、当該開口部を開いて前記ホログラム記録材料を外部に露出させることを特徴とする請求項６記載のカートリッジ型ホログラム記録媒体。
【請求項８】
前記カバーを移動させて前記第２の開口部を開いた時に、当該カバーが前記カートリッジ筐体の前面からはみ出した場合、当該カバーの開いた位置と閉じた位置を一旦固定するストッパーのみを設けたことを特徴とする請求項６又は７記載のカートリッジ型ホログラム記録媒体。
【発明の詳細な説明】
【技術分野】
【０００１】
本発明は、ホログラム記録再生装置に係り、特に外光による不要な露光を防止するためにホログラム記録材料をカートリッジ筐体に収納したカートリッジ型ホログラム記録媒体の開口部に関する。
【背景技術】
【０００２】
近年、ホログラフィツク技術は、次世代、次々世代光ディスクと競合する強力なストレージ候補として注目を集めているホログラフィクメモリの実用化に向けて、急速に開発が進められており、ホログラム技術を利用して大容量データの記録再生を行うホログラム記録再生システムが提案されている。
【０００３】
このように注目を集めているホログラム記録装置であるが、その実用化への検討の中で、記録媒体は主としてフォトポリマーを用いる場合が多い。このフォトポリマーを用いた場合、感光性があるために、露光、その後の定着処理を行うまでは外光に曝らさないようにしなければならず、遮光性のあるケース（カートリッジ筐体）に入れて保管する。ケースに入れたままで装置に挿入し、ケースのシャッターを開いてそこから露光するのが一般的である。
【０００４】
ホログラム記録装置の場合は、他の方法の光学記録方式とは違い、対象が２次元のデータパターンとなり、その為に、スポット径が大きくなることと、空間変調器の大きさ、レーザーの出力、各収差の回避などの問題から、対物レンズが大きくなってしまう。対物レンズが大きくなるために、従来の光記録方法や他の開発中の光記録方法などに比べて、カートリッジの開口部分を大きくする必要がある。他方、光磁気ディスク（以下ＭＯ）も他の光記録方式に比べて、対物レンズ以外にも、記録用、消去用磁気ヘッドを備えており、その分大きな開口が必要である。従ってホログラム記録では現在一般的にＭＯのカートリッジを流用、若しくは同様のカートリッジを用いて記録を行っている（例えば特許文献１参照）。
【０００５】
ところで、ホログラム記録においてもいっそうの記録密度向上のために、対物レンズと記録媒体との距離を短くし、記録信号光のスポット径を絞る必要がある。対物レンズを近づける為には、カートリッジをより広く開口する必要がある。このカートリッジの開口をより広げると、カートリッジの強度が十分でなくなる可能性があることと、スライドを用いたカバー機構がカートリッジの全面の範囲に収まらない可能性がある。
【０００６】
図８は従来のカートリッジ型ホログラム記録媒体の構成例を示した平面図である。ディスク状のホログラム記録材料２０２は遮光性のあるカートリッジ筐体２０１に収納され、カートリッジ筐体２０１の前面に横にスライドするカバー（シャッター）２０３が取り付けてあり、図では閉じている状態である。このカバー２０３が図９に示すように横にスライドすると、開いた状態になり、内部のホログラム記録材料２０２の一部が露出し、データの記録、再生が可能になる。このようにカバー２０３は横にスライドする機構を有するために、その幅はカートリッジ筐体２０１の前面の幅の３分の１以下にしなければならない。また、スライド式を用いている点と両面記録の観点から、開口は左右対称形状を有しており、一部のカートリッジではどちら側にもスライドするような機構を有するモデルもある。また、角度多重型ホログラム記録の場合は参照光や信号光をホログラム記録材料２０２に対して垂直ではなく、ある角度で入射することが必要となるため、より広い開口が必要となってくる。
【０００７】
図１０は従来のカートリッジ型ホログラム記録媒体を使用して角度多重記録を行う場合を示した断面図であり、カバーは開いた状態で内部のホログラム記録材料の一部が露出している状態を示している。角度多重型ホログラム記録の場合、信号光３０１は対物レンズ３０２を通ってホログラム記録材料２０２に届く。一方、参照光３０３はこの参照光の角度を変えるためのレンズ３０４、３０５を通って、ホログラム記録材料２０２に届く。これにより、信号光３０１と参照光３０３がホログラム記録材料２０２の内部で干渉し、その干渉縞が記録されることになる。
【特許文献１】実用新案登録公報  第２５２０２７５号（第３−５頁、第１図）
【発明の開示】
【発明が解決しようとする課題】
【０００８】
しかしながら、上記の角度多重方式によりカートリッジ型ホログラム記録媒体にデータを記録する際には、信号光３０１及び参照光３０３をホログラム記録材料２０２に斜めから照射するため、レンズ３０２及びレンズ３０５はカートリッジ筐体２０１に対して極めて近接することになる。したがって、レンズ３０２及びレンズ３０５を保持する鏡筒３０６及び３０７はカートリッジ筐体２０１に接触してしまう恐れがある。そこで、鏡筒３０６及び３０７がカートリッジ筐体２０１に接触しないように、カートリッジ筐体２０１の開口をむやみに広げると、強度が落ちるという問題点以外にも次のような不都合が生じる。（１）開口が広くなると、それを覆うカバー２０３の幅が広くなる。カバー２０３の幅が広いと、開口した時に、カバー２０３の端部がカートリッジ筐体２０１の前面からはみ出してしまい、これではカバー２０３を閉じた状態にするバネ機構などが設置できなくなって、カバー２０３のスライド開閉機構が成り立たなくなる。
（２）開口が広いと、カバー２０３を適切な位置まで移動できなくなり、信号光３０１や参照光３０３がホログラム材料２０２の表面で反射すると、その反射光がカバー２０３の内面に当たって反射をし、発生した反射光がカートリッジ筐体２０１の内部に拡散してしまい、そのために、記録データにノイズが入る恐れがあった。
【０００９】
本発明は前記事情に鑑み案出されたものであって、本発明の目的は、カバーをスライドする開閉機構が成り立つように、且つ、光学系がカートリッジ筐体に接触しないように、開口を広げることができるカートリッジ型ホログラム記録媒体を提供することにある。
【課題を解決するための手段】
【００１０】
本発明は上記目的を達成するため、２光束の干渉縞を記録するホログラム記録材料をカートリッジ筐体に収納して成るカートリッジ型ホログラム記録媒体であって、前記２光束を前記ホログラム記録材料に照射する光ピックアップがアクセスする第１の開口部を、前記カートリッジ筐体の前面で当該カートリッジ筐体の中心線に対して非対称になる位置に設け、且つ、当該開口部を開閉するカバーを設けたことを特徴とする。
【００１１】
また、本発明は、前記カートリッジ筐体の中心線に対して前記第１の開口部の占める領域が少ない側に、前記カバーを移動させることにより当該開口部を開いて前記ホログラム記録材料を外部に露出させることを特徴とする。
【００１２】
また、本発明は、前記ピックアップを構成する信号光光学系の先端或いは参照光光学系の先端のいずれか一方または両方の一部が前記第１の開口部の中に侵入することを特徴とする。
【００１３】
このように本発明のカートリッジ型ホログラム記録媒体では、光ピックアップがホログラム記録材料にアクセスするための開口部をカートリッジ筐体の中心線に対して非対称になる位置に設けることにより、前記カバーを前記カートリッジ筐体の中心線に対して前記第１の開口部の占める領域が少ない側に移動させることにより開口部を開くため、開口部の幅を広くしても、前記カバーをカートリッジ筐体の前面にはみ出ることなく収めることができ、カバーをスライドする開閉機構を取り付けることができる。また、開口部の幅が広いため、ピックアップを構成する信号光光学系の先端或いは参照光光学系の先端を開口部の中に侵入させることができ、特に角度多重方式で記録する際に、参照光の振り角を大きくとれ、記録密度を向上させることができる。また、開口部が広いと、ホログラム記録材料の露出を大きくでき、対物レンズをホログラム記録材料にさらに近づけることが可能に成り、記録、再生光学系の対物レンズをより記録媒体に近づけることが可能になり、記録、再生光学系のＮＡを上げることができる。そのために記録媒体上での記録密度を上げて記録することが可能となる。
【発明の効果】
【００１４】
本発明によれば、カートリッジ型ホログラム記録媒体では、光ピックアップがホログラム記録材料にアクセスするための開口部をカートリッジ筐体の中心線に対して非対称になる位置に設けることにより、カバーのスライドする開閉機構が成り立つように、且つ、光学系がカートリッジ筐体に接触しないように、開口部の大きさを広げることができる。
これにより、角度多重方式で記録する際に、参照光の振り角を大きくとれ、記録密度を向上させることができる。また、開口部が広いと、ホログラム記録材料の露出を大きくできて対物レンズをホログラム記録材料にさらに近づけることが可能になり、記録、再生系のＮＡを上げることができる。
また、開口部がカートリッジ筐体の中心線に対して非対称なため、単に開口を広げる弊害として、カートリッジの強度不足を解決することができる。
さらに、カバーの開き度合いを参照光の角度に応じて徐々に移動することで、信号光の記録材料表面での反射を吸収することが可能になり、余分なノイズを抑制できる。
【発明を実施するための最良の形態】
【００１５】
カバーのスライドする開閉機構が成り立つように、且つ、光学系がカートリッジ筐体に接触しないように、光学系がホログラム記録材料にアクセスするための開口部のサイズを大きくする目的を、開口部をカートリッジ筐体の中心線に対して非対称になる位置に設けることによって実現した。
【実施例１】
【００１６】
図１は、本発明の第１の実施形態に係るカートリッジ型ホログラム記録媒体の構成を示した平面図である。カートリッジ型ホログラム記録媒体はカートリッジ筐体２０１の中にディスク状のホログラム記録材料２０２を収納して成り、カートリッジ筐体２０１に設けられた開口部１０を覆うカバー２０３がスライド自在に取り付けてある。
【００１７】
次に本実施形態の記録動作を、図２を用いて説明する図２はカートリッジ型ホログラム記録媒体を用いてデータを記録する様子を示した断面図である。信号光３０１はレンズ３０２を通してホログラム記録材料２０２に照射され、参照光３０３はレンズ３０４、３０５を通してホログラム記録材料２０２に照射され、両光の干渉縞がホログラム記録材料２０２に記録される。角度多重方式でホログラム記録する際には、信号光３０１及び参照光３０３はホログラム記録材料２０２に対して斜めから照射するため、レンズ３０２及びレンズ３０５はカートリッジ筐体２０１に対して極めて近接することになる。
【００１８】
そのため、レンズ３０２及びレンズ３０５を保持する鏡筒３０６及び３０７の一部がカートリッジ筐体２０１に接触してしまう恐れがあるが、本実施形態では開口部１０がカートリッジ筐体２０１内のホログラム記録材料２０２の半径線と一致する中心線Ｏに対して右側にずれており、且つ、開口部１０の幅自体も従来よりも広くなっているため、信号光光学系の鏡筒３０６の一部は開口部１０の内部に入った状態になり、カートリッジ筐体２０１に接触しないようになっている。一方、参照光光学系の鏡筒３０７はカートリッジ筐体２０１に対してまだ余裕があるため、これに対しては開口する必要がない。したがって、カートリッジの開口形状は中心線Ｏに対して左右対称の形状とはならず、カバー２０３を開口部１０が占める領域が狭い側の左側にスライドさせて、図１の如くホログラム記録材料２０２を露出させるようになっている。これにより、開口１０を広くしたにも拘らず、カバー２０３はカートリッジ筐体２０１の前面からはみ出ることはない。
【００１９】
本実施形態によれば、カートリッジ筐体２０１に設ける開口部１０を広くし、且つ、中心線Ｏに対して非対称とすることにより、信号光３０１及び参照光３０３を必要なだけ斜めから照射することができ、角度多重方式のホログラム記録の記録密度を上げることができる。
【００２０】
また、カバー２０３は開口部１０が占める領域が狭い方にスライドさせることにより、カートリッジ筐体２０１の前面からはみ出ることがなく、カバー２０３のスライド機構を設置することができる。また、開口部１０が配置されている位置が中心線Ｏ対して非対称なため、カートリッジ筐体２０１の強度を損なうことも軽減される。
【００２１】
さらに、開口部１０が広いと、ホログラム記録材料２０２の露出を大きくできて対物レンズ３０２をホログラム記録材料２０２にさらに近づけることが可能になり、記録、再生系のＮＡを上げることができる。
【００２２】
尚、カバー２０３を開けた時に、図３に示すように、その一部がカートリッジ筐体２０１前面からはみ出した場合は、カバー２０３の開いた位置と閉じた位置を一旦固定するストッパーのみを設け、カバー２０３をスライドさせて開閉する機構はホログラム記録再生装置側に装備するようにしても良い。
【実施例２】
【００２３】
図４は、本発明の第２の実施形態に係るカートリッジ型ホログラム記録媒体の構成を示した平面図である。本実施形態では、カートリッジ筐体２０１に収納されている反射型のホログラム記録材料２０２を再生する際の状態を示しており、カートリッジ筐体２０１の前面及び背面にそれぞれ開口部１０（背面の開口部は図５参照）が設けられていて、それぞれの開口部をスライド自在に覆うカバー２０３（背面のカバー２０４は図６参照）が取り付けてある。
【００２４】
次に本実施形態の動作について図５を用いて説明する。反射型ホログラム記録材料２０２を用いた場合、再生時に、前面のカバー２０３が左にスライドし、背面のカバー２０４が右にスライドして、図４のように反射型ホログラム記録材料２０２が露出する。図５において参照光３０３はレンズ３０４、３０５を通してホログラム記録材料２０２の前面から照射され、再生光６０１が発生する。この再生光６０１は反射型ホログラム記録材料２０２の背面からフーリエレンズ６０２を通して図示されない撮像素子に入射されてデータが再生される。
【００２５】
本実施形態の場合は、記録時と再生時に使用する光学系の位置に合わせて、開口部１０及び開口部１１がカートリッジ筐体２０１の前面と背面に配置されているため、特に再生光６０１を拾うのに必要なだけ再生光光学系（鏡筒６０３）を斜めからホログラム記録材料２０２に近接してもカートリッジ筐体２０１に接触することがなくなり、その分、記録時の振り角度を大きくとることができ、角度多重方式のホログラム記録の記録密度を上げることができる。また、開口部１０及び開口部１１はカートリッジ筐体２０１の前面と背面に別々に設けられているため、これら開口部を開閉するカバー２０３、２０４のスライド方向は反対方向でも良く、カートリッジ筐体２０１の面内に収まり、スライド機構を取り付けられて、円滑な開閉を行うことができる。
【００２６】
尚、カートリッジ筐体２０１の背面に取り付けてあるカバー２０４を開けた時に、その一部が図６に示すように、カートリッジ筐体２０１の前面からはみ出した場合は、カバー２０４の開いた位置と閉じた位置を一旦固定するストッパーのみを設け、カバー２０４をスライドさせて開閉する機構はホログラム記録再生装置側に装備するようにしても良い。
【実施例３】
【００２７】
図７は、本発明の第３の実施形態に係るカートリッジ型ホログラム記録媒体の構成を示した側面図である。本実施形態は第２の実施形態とほぼ同様であるが、カバー２０３が参照光３０３のホログラム記録材料２０２への入射角に応じて徐々に開口するようになっている。即ち、カバー２０３は参照光３０３を遮蔽しないように参照光３０３の振り角に応じてぎりぎりに動くようにする。これにより、参照光３０３の反射光８０１はカバー２０３の内壁で遮蔽される。カバー２０３の内壁は参照光を吸収するような物理的形状、若しくは化学的処理を行って反射を吸収するようにしてあり、余分な光がカートリッジ筐体２０１の内部に散乱して、記録時のノイズに成ることを防止することができる。他の効果は第２の実施形態と同様である。
【００２８】
尚、本発明は上記実施形態に限定されることなく、その要旨を逸脱しない範囲において、具体的な構成、機能、作用、効果において、他の種々の形態によっても実施することができる。
【図面の簡単な説明】
【００２９】
【図１】本発明の第１の実施形態に係るカートリッジ型ホログラム記録媒体の構成を示した平面図である。
【図２】図１に示したカートリッジ型ホログラム記録媒体を用いてデータを記録する様子を示した断面図である。
【図３】図１に示したカバーを開けた状態を示した平面図である。
【図４】本発明の第２の実施形態に係るカートリッジ型ホログラム記録媒体の構成を示した平面図である。
【図５】図４に示したカートリッジ型ホログラム記録媒体を用いてデータを記録する様子を示した断面図である。
【図６】カバーがカートリッジ筐体からはみ出た場合を示した平面図である。
【図７】本発明の第３の実施形態に係るカートリッジ型ホログラム記録媒体の構成を示した側面図である。
【図８】従来のカートリッジ型ホログラム記録媒体の構成例を示した平面図である。
【図９】図８に示したカバーを開けた状態を示した平面図である。
【図１０】従来のカートリッジ型ホログラム記録媒体を使用して角度多重記録を行う場合を示した断面図である。
【符号の説明】
【００３０】
１０、１１……開口部、２０１……カートリッジ筐体、２０２……ホログラム記録材料、２０３、２０４……カバー、３０２、３０４、３０５、６０２……レンズ、３０６、３０７、６０３……鏡筒。
【図１】
2007033486.tif 000003
【図２】
2007033486.tif 000004
【図３】
2007033486.tif 000005
【図４】
2007033486.tif 000006
【図５】
2007033486.tif 000007
【図６】
2007033486.tif 000008
【図７】
2007033486.tif 000009
【図８】
2007033486.tif 000010
【図９】
2007033486.tif 000011
【図１０】
2007033486.tif 000012